(57)【要約】【課題】廃棄しようとする厚紙、ダンボール部材等をまとめて収納して回収場所に運ぶのに便利な手提部位付ケース等を提供するにある。【解決手段】板材本体６７を確実に二つ折りにできるように案内折目６９、７０が対抗する端方に設けられ、対抗するようにロック片２９を指掛孔４２を設けてなっている。【選択図】  図１４
2005008183.tif 000002
【特許請求の範囲】
【請求項１】
ケース状態などの使用状態を展開して板状態にされるあるいは板状態で使用される厚紙製部材やダンボール製部材などの板材本体と、
この板材本体に設けられた該板材本体を所定の部位で折り合わせるための折目線や切込線やミシン線や三角カット部位などからなる折り案内部と、
この折り案内部で折った状態で形成された前記板材本体の一方の側に設けられた第１の指掛孔と、
前記板材本体のもう一方の側の前記第１の指掛孔と対抗する部位に設けられた第２の指掛孔とからなり、
前記折り案内部で折った状態で前記第１の指掛孔と前記第２の指掛孔が重なり状態となって、該第１の指掛孔と該第２の指掛孔に人が指を掛けて手下げ体として持つことができるようにしてなることを特徴とする手提部位付ケース等。
【請求項２】
第１の指掛孔に孔形成抜体を板材本体から押し起こされて突き出すロック片として残し設け、第２の指掛孔に前記ロック片が填まり抜け難いように係止される形態であることを特徴とする請求項１記載の手提部位付ケース等。
【請求項３】
第１の指掛孔に孔形成抜体を板材本体から押し起こされて突き出すロック片として残し設け、第２の指掛孔の形態を該ロック片が填まる填まり部および該填まり部からの抜け戻りを阻止する該ロック片の係止部位より幅の狭い形態の顎部を設けてなるロック片係止部とし、折り案内部で折った状態で前記ロック片と前記ロック片係止部が重なり状態となって、前記顎部を押しのけ通過して前記填まり部に押込む等された前記ロック片が該顎部に掛かって抜け戻ることが阻止されて折り合せた状態から開かないようにされてなることを特徴とする請求項２記載の手提部位付ケース等。
【請求項４】
ケース体、ケース状態などの使用状態を展開して板状態にされるあるいは板状態で使用される厚紙製部材やダンボール製部材などの板材本体と、
この板材本体に設けられた該板材本体を所定の部位で折り合わせるための折目線や切込線やミシン線や三角カット部位などからなる折り案内部と、
この折り案内部で折った状態で形成された前記板材本体の一方の側に切り込みなどで形成された、指で押し込んだり引き込んだりして該板材本体から起こされて突き出されるロック片と、
前記板材本体のもう一方の側の前記ロック片と対抗する部位に孔形態や縁に凹形態で形成された、該ロック片が填まる填まり部および該填まり部からの抜け戻りを阻止する該ロック片の係止部位より幅の狭い形態の顎部を設けてなるロック片係止部とからなり、
前記折り案内部で折った状態で前記ロック片と前記ロック片係止部が重なり状態となって、前記顎部を押しのけ通過して前記填まり部に押込む等された前記ロック片が該顎部に掛かって抜け戻ることが阻止されて折り合せた状態から開かないようにされてなることを特徴とするロック片付ケース等。
【発明の詳細な説明】
【０００１】
【発明の属する技術分野】
本発明は主に厚紙製ケース、ダンボール製ケースや中敷などの板材の廃棄をする際に、便利に使用でき又小さく折り畳んだ状態に閉じおける手提部位付ケース等およびロック片付ケース等に関する。
【０００２】
【従来技術】
従来、特開平１１−２２７７４４（包装箱）に、箱体を平板状態に解体（展開）した状態にして二つ折りに間違いなく容易にできるように中央に引かれた折目と、該折目を挟んで一方の側の縁に切込み形成された切り起こし片（ロック片）と、もう一方の側の対称な位置に設けられた該切り起こし片が填まり係止される該切り起こし片と同形態の凹形態の片係止部とを有し、前記折目で二つ折りに合せた状態で前記切り起こし片を押し起こして前記片係止部に嵌め係止することによって、折り畳み合わせ状態が保持されるようにしてなる技術が開示されている。
【０００３】
【発明が解決しようとする課題】
前述した従来技術は、一つ一つを折り畳み小さくして置けるのであるが、これをまとめて回収場所に持ってゆくには紐で縛るなどして持ってゆかなくてはならないという不便さがあったし、紐でまとめ縛ったものは、吊り下げて運ぶには縛りが甘いとバラけるので、両手で抱えて運ばければならなく持ち難く運び難い、縛った紐は多くが合成樹脂製なのでどこかで取り除かなければならず、リサイクルの上で好ましくないという欠点があった。
また、切り起こし片（ロック片）と片係止部（凹部）が同形態であるので、折れ係止されている状態では折れ方向には引っかかり外れないが、折れ状態が緩む起き上がり方向には係止されていないので係止状態が弱く容易に外れやすい、切り越し片が起き上がってきて外れる、切り越し片を３、４回係止と外しを行うと切りお越し片がへたってしまいロック片とロック片係止部との挟持が無くなり係止（ロック）がされなくなるという欠点があった。
【０００４】
本発明は以上のような従来の問題に鑑みてなされたものであって、その目的は、廃棄しようとする厚紙、ダンボール部材等をまとめて収納して回収場所に運ぶのに便利な手提部位付ケース等を提供するにある。
また本発明の他の目的は、ロック状態が容易には解除され難いロック構造のロック片付ケース等を提供するにある。
【０００５】
【課題を解決するための手段】
（１）本発明は上記目的を達成するために、ケース状態などの使用状態を展開して板状態にされるあるいは板状態で使用される厚紙製部材やダンボール製部材などの板材本体と、この板材本体に設けられた該板材本体を所定の部位で折り合わせるための折目線や切込線やミシン線や三角カット部位などからなる折り案内部と、この折り案内部で折った状態で形成された前記板材本体の一方の側に設けられた第１の指掛孔と、前記板材本体のもう一方の側の前記第１の指掛孔と対抗する部位に設けられた第２の指掛孔とで構成され、前記折り案内部で折った状態で前記第１の指掛孔と前記第２の指掛孔が重なり状態となって、該第１の指掛孔と該第２の指掛孔に人が指を掛けて手下げ体として持つことができるようにしてなる手提部位付ケース等を構成している。
（２）また前記（１）記載の発明において、第１の指掛孔に孔形成抜体を板材本体から押し起こされて突き出すロック片として残し設け、第２の指掛孔に前記ロック片が填まり抜け難いように係止される形態である手提部位付ケース等を構成している。
（３）また前記（２）記載の発明において、第１の指掛孔に孔形成抜体を板材本体から押し起こされて突き出すロック片として残し設け、第２の指掛孔の形態を該ロック片が填まる填まり部および該填まり部からの抜け戻りを阻止する該ロック片の係止部位より幅の狭い形態の顎部を設けてなるロック片係止部とし、折り案内部で折った状態で前記ロック片と前記ロック片係止部が重なり状態となって、前記顎部を押しのけ通過して前記填まり部に押込む等された前記ロック片が該顎部に掛かって抜け戻ることが阻止されて折り合せた状態から開かないようにされてなる手提部位付ケース等を構成している。
（４）また、ケース体、ケース状態などの使用状態を展開して板状態にされるあるいは板状態で使用される厚紙製部材やダンボール製部材などの板材本体と、この板材本体に設けられた該板材本体を所定の部位で折り合わせるための折目線や切込線やミシン線や三角カット部位などからなる折り案内部と、この折り案内部で折った状態で形成された前記板材本体の一方の側に切り込みなどで形成された、指で押し込んだり引き込んだりして該板材本体から起こされて突き出されるロック片と、前記板材本体のもう一方の側の前記ロック片と対抗する部位に孔形態や縁に凹形態で形成された、該ロック片が填まる填まり部および該填まり部からの抜け戻りを阻止する該ロック片の係止部位より幅の狭い形態の顎部を設けてなるロック片係止部とで構成され、前記折り案内部で折った状態で前記ロック片と前記ロック片係止部が重なり状態となって、前記顎部を押しのけ通過して前記填まり部に押込む等された前記ロック片が該顎部に掛かって抜け戻ることが阻止されて折り合せた状態から開かないようにされてなるロック片付ケース等を構成している。ロック片係止部とロック片は非形態である。
【０００６】
【発明の実施の形態】
以下、本発明の実施の形態を詳細に説明する。但し、本発明をそれらのみに限定するものではない。
【０００７】
図１ないし図７に示す本発明の第１の実施の形態において１は手提部位付ケースであって、この手提部位付ケース１は天板や底板などのベース部２と、このベース部２の各辺部に折目を境に設けられた、折り起こされてケース体の外壁となる外壁形成部３、４、５、６と、この外壁形成部３、４、５、６の外向き辺部に折目を境に設けられた、折り下げられてケース体の内壁となる内壁形成部７、８、９、１０と、外壁形成側板部３、５の側辺に折目を境に設けられた、連結片１１、１２、１３、１４と、内壁形成部７、９の側辺に折目を境に設けられた、連結片１５、１６、１７、１８と、手提部位付ケース１を展開して二つ折にし易くし案内するための中央に同一直線上で内壁形成部７の縁に設けられたカット部１９および中ほどに設けられた折目２０、外壁形成部３の中ほどに設けられた折目２１、ベース部２の中ほどに設けられた折目２２、外壁形成部５の中ほどに設けられた折目２３、内壁形成部９の中ほどに設けられた折目２４および縁に設けられたカット部２５とからなる折り案内部２６と、この２６で折り合わせると重なり状態・対抗関係になる内壁形成部８、内壁形成部１０、この内壁形成部８に形成された指掛孔２７と、この内壁形成部１０に形成された指掛孔２７と重ね合わさる指掛孔２８と、指掛孔２７に抜き起こし可能に残されたロック片２９と、指掛孔２８に抜き起こし可能に残されたロック片３０と、連結片１１、１２、１３、１４、１５、１６、１７、１８のそれぞれの縁に設けられた、抜き起こすロック片３１、３２、３３、３４、３５、３６、３７、３８とからなっている。
指掛孔２７、２８とロック片２９、３０の形態は同一形態であって、ロック片の結合部位が狭く先端側に広くなる略台形形態をしていて、押しお越されて指掛孔に填まったロック片が指掛孔の根元に係止されて抜け外れないようにロックされるようになっている。
指掛孔２７、２８はロック片係止部を兼ねている。
ロック片３１、３２、３３、３４、３５、３６、３７、３８は略臼形態となっている。
図３、図６、図７に示すように、二つ折りにして解体した幾つもの廃棄ケース３９を収納しておくなどして、指掛孔２７、２８に３本以上の指を余裕を持って掛けて回収場所等に持ち運びが容易にできる。
図４に示すように内壁形成部７、９を内側に折り畳んで畳み状態をロックすることも、図５に示すように外壁形成部４、６、内壁形成部８、１０をベース板２の内側に折り畳んで畳み状態をロックすることもできる。
以下の実施の形態の説明において前述した実施の形態と同じ構成には同じ符号を付してその説明を省略する。
【０００８】
図８ないし図１０に示す本発明の第２の実施の形態において前記本発明の第２の実施の形態と主に異なる点は、ロック片２９が填まりロックされる指掛孔４２の形態を、ロック片２９が填まる填まり部４３および該４３からの抜け戻りを阻止するロック片２９の係止部位より幅の狭い形態の顎部４４を設けてなるロック片係止部とし、内壁形成部７、９の外縁にロック片２９と略同じ小形態のロック片４５、４６と該４５、４６が係合する指掛孔４２と略同じ凹形態のロック片係止部４７、４８を設けてなる手提部位付ケース４９を形成した点にある。
ロック片１９には押込みはこちらからを指示する「押」が表示されている。矢印などでもよくロック片４５、４６に表示するのもよい。
５０、５１は折目、５３は折り案内部、５４は起こし片。
【０００９】
図１１に示す本発明の第３の実施の形態において前記本発明の第２の実施の形態と主に異なる点は、起こし片５４を打ち抜き取り除いてなる指掛孔４２を形成し、内壁形成部７、８、９、１０の無い手提部位付ケース５６を形成した点にある。使用者は操作指示表示がなくともロック片を指掛孔４２に間違いなく押込み操作する。
５７は折目。
指掛孔４２（ロック片係止部）を打ち抜き片の無い開口孔とすることにより、ロック片を該ロック片の側から押しお越し押し入れることが、特別の表示無しにも行われるようにできる。
【００１０】
図１２に示す本発明の第４の実施の形態において前記本発明の第２の実施の形態と主に異なる点は、連結片１１、１４に該１１、１４の折目線に沿ってロック片４５、４６を設け、連結片１２、１３に該１２、１３の折目線に沿ってロック片係止部４７、４８を設け、折目を中央折目５９、底広げ折目６０、６１を設けてなる手提部位付ケース６２を形成した点にある。
【００１１】
図１３に示す本発明の第５の実施の形態において前記本発明の第１の実施の形態と主に異なる点は、指掛孔６４、６５を略長方形態の打抜き孔からなる形態とし、ロック片を有さない構成とした手提部位付ケース６６を形成した点にある。
６７、６８は折目。
【００１２】
図１４に示す本発明の第６の実施の形態において６８は手提部位付板材であって、この手提部位付板材６８は板材本体６７を確実に二つ折りにできるように案内折目６９、７０が対抗する端方に設けられ、対抗するようにロック片２９と指掛孔４２を設けてなっている。
二つ折りにして小さくした状態に保持できるとともに、他の廃棄厚紙類を挟んで溜めおき、廃棄の際には手に下げて回収場所に快適に運ぶことができる。
【００１３】
【発明の効果】
以上の説明から明らかなように、本発明にあっては次に列挙する効果が得られる。
【００１４】
請求項１記載の発明は、折り畳み合わさった第１の指掛孔と第２の指掛孔に手の指を複数本入れて持つことができる手提体が形成されるものであるので、他の厚紙、ダンボールなどを折り畳み収納して、回収場所まで安定した状態でそれもいくつも下げて運ぶことができるという大変便利な効果をえることができる。
これにより、紐で縛るなどの煩雑な作業が必要なく、且つ、ビニール紐のないリサイクルに軽負担の廃棄方法を実現するという効果も得ることもできる。
【００１５】
請求項２記載の発明は、前記請求項１記載の発明の効果に加えて、第１の指掛孔と第２の指掛孔をロックするロック片を設けているので、ロック片をロック状態にして手提体を形成し、該手提体に廃棄ダンボール等を詰め込み収納・整理してゆくことができ、且つ、そのまま手に二つ三つ下げて回収場所まで容易に運ぶことができる。
【００１６】
請求項３記載、請求項４記載の発明は、ロック片を填まり係止するロック片係止部に、該ロック片の係止部位より幅の狭い顎部と、この顎部の奥に設けあれた前記ロック片の係止部位が填まる填まり部を設けてなるので、填まり部に填まった係止部位が起き上がっても顎部に掛かるので、前後にも上下にもロック片が抜けられない完全ロック構造を実現しているので容易には外れることがなく、填まり分への係止と外しを何回か行っても顎部への引っ掛かりは行われるので、容易には外れ難いロック構造を実現するという効果を得ることができる。
【図面の簡単な説明】
【図１】本発明の第１の実施の形態のケース状態の斜視図。
【図２】本発明の第１の実施の形態の展開図。
【図３】本発明の第１の実施の形態の二つ折りした状態の斜視図。
【図４】本発明の第１の実施の形態の内壁形成部の一部を畳み二つ折りした状態の斜視図。
【図５】本発明の第１の実施の形態の連接する外壁形成部と内壁形成部の一部を畳み二つ折りした状態の斜視図。
【図６】本発明の第１の実施の形態の二つ折りにして廃棄厚紙を収納した状態斜視図。
【図７】本発明の第１の実施の形態の二つ折りにして廃棄厚紙を収納し手に下げ持った状態斜視図。
【図８】本発明の第２の実施の形態の展開図。
【図９】本発明の第２の実施の形態のロック片とロック片係止部の形態比較図。
【図１０】本発明の第２の実施の形態のロック片がロック片係止部に起こし填められた状態斜視図。
【図１１】本発明の第３の実施の形態の展開図。
【図１２】本発明の第４の実施の形態の展開図。
【図１３】本発明の第５の実施の形態の展開図。
【図１４】本発明の第６の実施の形態の正面図。
【符号の説明】
１：手提部位付ケース、
２：ベース部、
３、４、５、６：外壁形成部、
７、８、９、１０：内壁形成部、
１１、１２、１３、１４：連結片、
１５、１６、１７、１８：連結片、
１９：カット部、
２０、２１、２２、２３、２４：折目、
２５：カット部、
２６：折り案内部、
２７：指掛孔、
２８：指掛孔、
２９：ロック片、
３０：ロック片、
３１、３２、３３、３４、３５、３６、３７、３８：ロック片、
３９：廃棄ケース、
４２：指掛孔、
４３：填まり部、
４４：顎部、
４５、４６：ロック片、
４７、４８：ロック片係止部、
４９：手提部位付ケース、
５０、５１：折目、
５３：折り案内部、
５４：起こし片、
５６：手提部位付ケース、
５７：折目、
５９：中央折目、
６０：底広げ折目、
６１：底広げ折目、
６２：手提部位付ケース、
６４：指掛孔、
６５：指掛孔、
６６：手提部位付ケース、
６７：板材本体、
６８：手提部位付板材、
６９：案内折目、
７０：案内折目。
【図１】
2005008183.tif 000003
【図２】
2005008183.tif 000004
【図３】
2005008183.tif 000005
【図４】
2005008183.tif 000006
【図５】
2005008183.tif 000007
【図６】
2005008183.tif 000008
【図７】
2005008183.tif 000009
【図８】
2005008183.tif 000010
【図９】
2005008183.tif 000011
【図１０】
2005008183.tif 000012
【図１１】
2005008183.tif 000013
【図１２】
2005008183.tif 000014
【図１３】
2005008183.tif 000015
【図１４】
2005008183.tif 000016